(57)【要約】      （修正有）【課題】グリースを用いてその効果を長期間持続させることができる湯水混合水栓を提供すること。【解決手段】ロッド部材３を回動自在かつその軸方向に摺動自在に保持するほぼ筒状の保持部材１２とを備え、前記連結部９は、栓棒８の外周面に設けられたガイド部８ａに沿って軸方向に摺動し、かつ栓棒８と共回りするとともに、外周面に雄ねじ１０が設けられている一方、この雄ねじ１０に螺合する雌ねじ１１が前記保持部材１２に設けられており、栓棒８の回動によってロッド部材３が軸方向に移動し、このロッド部材３の外周に設けられた弁体１，２がシャワ弁座５およびカラン弁座６に近接，離間するように構成してある湯水混合水栓であって、前記連結部９の内壁面から外壁面にかけて貫通孔１５を形成してある。【選択図】図１
2005201343.tif 000002
【特許請求の範囲】
【請求項１】
シャワによる吐水とカランによる吐水のいずれかに切替えるとともにその吐出流量調整を行うための切替ユニットを有し、この切替ユニットが、切替ハンドルの操作に伴い軸まわりに回動する栓棒と、この栓棒に連結される筒状の連結部が一端部に設けられたロッド部材と、前記栓棒を回動自在に保持し、ロッド部材を回動自在かつその軸方向に摺動自在に保持するほぼ筒状の保持部材とを備え、前記連結部は、栓棒の外周面に設けられたガイド部に沿って軸方向に摺動し、かつ栓棒と共回りするとともに、外周面に雄ねじが設けられている一方、この雄ねじに螺合する雌ねじが前記保持部材に設けられており、栓棒の回動によってロッド部材が軸方向に移動し、このロッド部材の外周に設けられた弁体がシャワ弁座およびカラン弁座に近接，離間するように構成してある湯水混合水栓であって、前記連結部の内壁面から外壁面にかけて貫通孔を形成してあることを特徴とする湯水混合水栓。
【発明の詳細な説明】
【技術分野】
【０００１】
この発明は、例えば、シャワによる吐水とカランによる吐水のいずれかに切り替えるとともに、その吐出量の流量調整を行うための切替ユニットを備えた湯水混合水栓に関する。
【背景技術】
【０００２】
例えば浴室に設置される従来の湯水混合水栓として、図２に示すように、シャワによる吐水とカランによる吐水のいずれかに切替えるとともにその吐出流量調整を行うための切替ユニットを備えたものがある。すなわち、図２において、５１は第一弁体、５２は第二弁体で、それぞれロッド部材５３に沿って摺動可能となっており、かつばね５４によって互いに離間する方向に付勢されている。
【０００３】
また、これら二つの弁体５１，５２を挟むようにしてシャワ弁座５５およびカラン弁座５６が設けられている。そして、ロッド部材５３をその軸方向（図中左右方向）に移動させることで、湯水混合水栓は、第一弁体５１がシャワ弁座５５に当接し、第二弁体５２がカラン弁座５６に当接する止水状態と、第一弁体５１がシャワ弁座５５から離間し、第二弁体５２がカラン弁座５６に当接するシャワ吐水状態と、第一弁体５１がシャワ弁座５５に当接し、第二弁体５２がカラン弁座５６から離間するカラン吐水状態とに切り替わる。すなわち、二つの弁体５１，５２を収容するチャンバ５７内にその上流側から送られてきた混合水は、前記止水状態ではそのままチャンバ５７内に留まり、シャワ吐水状態では第一弁体５１とシャワ弁座５５との間を通って流れた後シャワ吐水され、カラン吐水状態では第二弁体５２とカラン弁座５６との間を通って流れた後カラン吐水される。
【０００４】
５８は図示していない切替ハンドルの回動操作に伴ってその軸回りに回動する栓棒で、この栓棒５８の先端部（図中左端部）には正六角柱形状のガイド部５８ａが形成されている。また、ロッド部材５３の図中右端部には、ガイド部５８ａが内側に嵌め込まれ、ガイド部５８ａの形状に合致するように内周面の縦断面が正六角形状となっている筒状の連結部５９が設けられており、この連結部５９の外周面には雄ねじ６０が形成されている。なお、連結部５９は、栓棒５８のガイド部５８ａに沿ってその軸方向にスライド移動可能となっている。また、６１は前記雄ねじ６０と螺合する雌ねじである。
【０００５】
上記の構成からなる湯水混合水栓では、切替ハンドルを回動操作すると、栓棒５８がその軸まわりに回動し、連結部５９を有するロッド部材５３が共回りする。同時に、連結部５９の雄ねじ６０が雌ねじ６１と噛み合っているので、ロッド部材５３が軸方向に移動することになる。そして、このようにロッド部材５３を軸方向に移動させることにより、上述したように、湯水混合水栓は、止水状態とシャワ吐水状態とカラン吐水状態とに切り替わるとともに、その吐出流量が調整されることになる。
【発明の開示】
【発明が解決しようとする課題】
【０００６】
しかし、上記従来の湯水混合水栓では、潤滑性を高めるために、栓棒５８のガイド部５８ａおよび連結部５９の内側と、連結部５９の雄ねじ６０および雌ねじ６１とにそれぞれグリースを塗っていたが、連結部５９のスライド時に前記グリースが空気とともに行き場を失い、潤滑が不充分となる部分が形成されるという問題があった。
【０００７】
この発明は上述の事柄に留意してなされたもので、その目的は、グリースを用いて切替ユニットの部品の潤滑性を高めるに際して、その効果を長期間持続させることができる湯水混合水栓を提供することである。
【課題を解決するための手段】
【０００８】
上記目的を達成するために、この発明の湯水混合水栓は、シャワによる吐水とカランによる吐水のいずれかに切替えるとともにその吐出流量調整を行うための切替ユニットを有し、この切替ユニットが、切替ハンドルの操作に伴い軸まわりに回動する栓棒と、この栓棒に連結される筒状の連結部が一端部に設けられたロッド部材と、前記栓棒を回動自在に保持し、ロッド部材を回動自在かつその軸方向に摺動自在に保持するほぼ筒状の保持部材とを備え、前記連結部は、栓棒の外周面に設けられたガイド部に沿って軸方向に摺動し、かつ栓棒と共回りするとともに、外周面に雄ねじが設けられている一方、この雄ねじに螺合する雌ねじが前記保持部材に設けられており、栓棒の回動によってロッド部材が軸方向に移動し、このロッド部材の外周に設けられた弁体がシャワ弁座およびカラン弁座に近接，離間するように構成してある湯水混合水栓であって、前記連結部の内壁面から外壁面にかけて貫通孔を形成してあることを特徴としている（請求項１）。
【発明の効果】
【０００９】
請求項１に係る発明では、栓棒のガイド部の外壁および連結部の内壁により構成されるスライド部と、連結部の雄ねじおよび保持部材の雌ねじにより構成されるねじ部とにそれぞれ塗布されたグリースを、連結部に設けられた貫通孔に通すことができる。すなわち、スライド部内のグリースおよび空気を貫通孔経由でねじ部に移動させ、また、ねじ部内のグリースおよび空気を貫通孔経由でスライド部に移動させることができる。従って、従来の湯水混合水栓では、連結部のスライド時に前記グリースが空気とともに行き場を失い、潤滑が不充分となる部分が形成されるという問題があったが、この発明では、そのような問題が生じることを確実に防止することができ、さらには、上記グリースが発揮する潤滑作用を長期間維持することができる。
【発明を実施するための最良の形態】
【００１０】
以下、この発明の詳細を、図を参照しながら説明する。図１は、この発明の一実施例に係る湯水混合水栓の要部の構成を概略的に示す説明図である。
この実施例の湯水混合水栓は、図示していない給湯管からの湯および給水管からの水を適宜の割合で混合する混合部の下流側に、図１に示すように、前記混合部において形成された混合水（湯のみおよび水のみの場合も含む）をシャワにより吐水する状態とカランにより吐水する状態のいずれかに切替えるとともにその吐出流量調整を行うための切替ユニットを有している。
【００１１】
すなわち、図１において、１は第一弁体、２は第二弁体で、それぞれロッド部材３に沿って摺動可能となっており、かつばね４によって互いに離間する方向に付勢されている。この例では、第一弁体１はばね４によって図中左方へ付勢され、第二弁体２は図中右方へ付勢されている。
【００１２】
また、これら二つの弁体１，２を挟むようにしてシャワ弁座５およびカラン弁座６が設けられている。そして、ロッド部材３をその軸方向（図中左右方向）に移動させることで、湯水混合水栓は、第一弁体１がシャワ弁座５に当接し、第二弁体２がカラン弁座６に当接する止水状態と、第一弁体１がシャワ弁座５から離間し、第二弁体２がカラン弁座６に当接するシャワ吐水状態と、第一弁体１がシャワ弁座５に当接し、第二弁体２がカラン弁座６から離間するカラン吐水状態とに切り替わる。すなわち、二つの弁体１，２を収容するチャンバ７内にその上流側から送られてきた混合水は、前記止水状態ではそのままチャンバ７内に留まり、シャワ吐水状態では第一弁体１とシャワ弁座５との間を通って流れた後シャワ吐水され、カラン吐水状態では第二弁体２とカラン弁座６との間を通って流れた後カラン吐水される。
【００１３】
８は図示していない切替ハンドルの回動操作に伴ってその軸回りに回動する栓棒で、この栓棒８の先端部（図中左端部）には正六角柱形状のガイド部８ａが形成されている。また、ロッド部材３の図中右端部には、ガイド部８ａが内側に嵌め込まれ、ガイド部８ａの形状に合致するように内周面の縦断面が正六角形状となっている筒状の連結部９が設けられており、この連結部９の外周面には雄ねじ１０が形成されている。なお、連結部９は、栓棒８のガイド部８ａに沿ってその軸方向にスライド移動可能となっている。また、１１は前記雄ねじ１０と螺合する雌ねじである。
【００１４】
１２は前記栓棒８を回動自在に保持し、ロッド部材３を回動自在かつその軸方向に摺動自在に保持するほぼ筒状の保持部材である。詳しくは、保持部材１２のほぼ中央部に、ロッド部材３を回動および摺動可能に保持する軸受け部１３が設けられており、この軸受け部１３の図中右側に、連結部９を収容する収容部１４が設けられている。そして、この収容部１４の内壁に前記雌ねじ１１が形成されている。また、この保持部材１２の図中左端部に前記カラン弁座６が形成されている。
【００１５】
ここまでの構成は、従来の湯水混合水栓と何ら変わるところがない。そして、この実施例の湯水混合水栓は、前記連結部９の内壁面から外壁面にかけて貫通孔１５が形成されている点に特徴がある。ここで、貫通孔１５の数は、一つでもよいし複数でもよい。また、この貫通孔１５の連結部９の外壁面に通じる位置は、雄ねじ部１０の溝部とすることが好ましい。
【００１６】
上記の構成からなる湯水混合水栓では、切替ハンドルを回動操作すると、栓棒８がその軸まわりに回動し、連結部９を有するロッド部材３が共回りする。同時に、連結部９の雄ねじ１０が雌ねじ１１と噛み合っているので、ロッド部材３がガイド部８ａに沿ってその軸方向に移動し、第一弁体１および第二弁体２が、シャワ弁座５およびカラン弁座６に近接，離間することになる。
【００１７】
詳しくは、ロッド部材３を図中右方向に移動させると、図１に示すように、第二弁体２がカラン弁座６に当接した状態となり、また、ロッド部材３の外周において第一弁体１よりも図中左側の位置に固定された第一ストッパ部材１６により、第一弁体１が右側に付勢され、第一弁体１がシャワ弁座５から離れた状態となる。すなわち、このとき、湯水混合水栓は、シャワ吐水状態となる。なお、シャワ弁座５に対する第一弁体１の開度に応じてシャワによる吐出流量が決定される。また、ロッド部材３の右方向への移動は、栓棒８に設けられたフランジ１７に連結部９が当接するまで行わせることができる。
【００１８】
そして、上記シャワ吐水状態にあるロッド部材３を図中左方向に移動させると、第二弁体２がカラン弁座６に当接した状態のまま保たれ、第一弁体１がシャワ弁座５に当接する状態となる。すなわち、このとき、湯水混合水栓は止水状態となる。
【００１９】
さらに、上記止水状態にあるロッド部材３を図中左方向に移動させると、第一弁体１がシャワ弁座５に当接した状態のまま保たれ、ロッド部材３の外周において第二弁体２よりも図中右側の位置に固定された第二ストッパ部材１８により、第二弁体２が左側に付勢され、第二弁体２がカラン弁座６から離れた状態となる。すなわち、このとき、湯水混合水栓はカラン吐水状態となる。なお、カラン弁座６に対する第二弁体２の開度に応じてカランによる吐出流量が決定される。また、ロッド部材３の左方向への移動は、収容部１４の左端壁に連結部９が当接するまで行わせることができる。
【００２０】
ここで、栓棒８のガイド部８ａの外壁および連結部９の内壁により構成されるスライド部Ｓと、連結部９の雄ねじ１０および保持部材１２の雌ねじにより構成されるねじ部Ｎとにはそれぞれグリースが塗布されている。そして、湯水混合水栓がシャワ吐水状態のときには、栓棒８のガイド部８ａが連結部９内部の奥側（図中左側）まで進入するが、このとき、スライド部Ｓ内にあるグリースおよび空気は、連結部９に設けられた貫通孔１５を通り、ねじ部Ｎ内に導かれる。また、湯水混合水栓がカラン吐水状態のときには、ガイド部８ａが連結部９内部の奥側からその入口側まで後退するとともに、連結部９が収容部１４の奥側（図中左側）まで進入するが、このとき、ねじ部Ｎ内にあるグリースおよび空気は、連結部９に設けられた貫通孔１５を通り、連結部９内部の空間に導かれる。上記のようにしてグリースが移動（循環）するので、このグリースによる潤滑作用が長期間維持されることになる。
【００２１】
なお、この発明は上記の実施の形態に限られず、種々に変形して実施することができる。例えば、上記実施例では、ガイド部８ａを正六角柱形状とし、連結部９の内周面の縦断面を正六角形状としているが、このような構成に限られず、例えば、互いに噛み合うセレーションを両者８ａ，９に形成してあってもよい。すなわち、連結部９がガイド部８ａと共回りし、かつガイド部８ａに沿ってその軸方向に摺動可能である構造であればよい。
【図面の簡単な説明】
【００２２】
【図１】本発明の一実施例に係る湯水混合水栓の要部の構成を概略的に示す説明図である。
【図２】従来の湯水混合水栓の要部の構成を概略的に示す説明図である。
【符号の説明】
【００２３】
１    第一弁体
２    第二弁体
３    ロッド部材
５    シャワ弁座
６    カラン弁座
８    栓棒
８ａ  ガイド部
９    連結部
１０    雄ねじ
１１    雌ねじ
１２    保持部材
１５    貫通孔
【図１】
2005201343.tif 000003
【図２】
2005201343.tif 000004